(57)【要約】【課題】着用物品における弾性的に伸長可能なシートの内面に、表示要素が形成されたシート片を接合し、その伸長可能なシートの外面側からの表示要素の識別を容易にし、かつ、伸長可能なシートが伸長、収縮を繰り返しても破れないようにする。【解決手段】着用物品１の弾性的に伸長可能な外面シート２１の内面２１ｂに表示要素２６を有するシート片３１，３２が接合する。シート片３１，３２の内面３１ｂ，３２ｂと向かい合う弾性的に伸長可能な内面シート２２は、外面シート２１に対して、シート片３１，３２の縁部から着用物品１の前後胴周り域６，７の縁部１１，１２が互いに接合する部位へ至るまでの間で、胴周り方向とこの方向に直交する上下方向とにおいて間欠的に接合する。【選択図】図３
2005144074.tif 000002
【特許請求の範囲】
【請求項１】
前胴周り域と後胴周り域と股下域とを有し、前記前後胴周り域の側縁部どうしが重なりあって互いに接合して前記前胴周り域と後胴周り域と股下域とでパンツ型の形状を形成しており、前記前後胴周り域が胴周り方向へ弾性的に伸長可能な第１シートを含み、前記前後胴周り域いずれかにおける前記第１シートの内面側に前記第１シートの外面側から識別可能な表示要素が設けられている使い捨てのパンツ型着用物品において、
前記表示要素が前記第１シートの内面に第１接合手段を介して接合するシート片に形成されており、前記シート片が前記第１シートと前記第１シートに対して前記シート片よりも前記着用物品の内側にあって前記胴周り方向へ弾性的に伸長可能な第２シートとに挟まれており、前記第１シートと前記第２シートとが前記胴周り方向における前記シート片の縁部から前記前後胴周り域の側縁部どうしが互いに接合している部位までの間において第２接合手段を介して接合し、
前記第２接合手段は、前記胴周り方向と、この方向に直交する前記着用物品の上下方向とにおいて前記第１シートと前記第２シートとを間欠的に接合する複数の接合域を形成していることを特徴とする前記着用物品。
【請求項２】
複数の前記接合域は、前記内面の単位面積に占める面積の割合が前記シート片の縁部から前記胴周り方向へ遠ざかるにつれて次第に小さくなる請求項１記載の着用物品。
【請求項３】
前記胴周り方向において、前記シート片の縁部から１０〜５０ｍｍの範囲にのみ前記接合域が形成されている請求項１または２記載の着用物品。
【請求項４】
前記第１シートと第２シートとが不織布であって、前記第１シートの坪量が前記第２シートの坪量よりも小さく、かつ、前記第１シートの光線透過率が少なくとも５５％である請求項１〜３のいずれかに記載の着用物品。
【請求項５】
前記第１シートと第２シートとのうちの少なくとも一方がエラストマーからなる繊維を含む請求項４記載の着用物品。
【請求項６】
前記前胴周り域と前記後胴周り域と前記股下域とのうちの少なくとも前記股下域における前記第２シートの内面側には、体液吸収性の芯材の少なくとも一部分を透液性シートで被覆してなる体液吸収部が形成され、前記着用物品の幅方向における前記体液吸収部の中央部位が前記第２シートに対して接合状態にあり、前記着用物品の幅方向における前記体液吸収部の側縁部が前記第２シートに対して非接合状態にある請求項１〜５のいずれかに記載の着用物品。
【発明の詳細な説明】
【技術分野】
【０００１】
この発明は、おむつ等として使用するのに好適な使い捨てのパンツ型着用物品に関する。
【背景技術】
【０００２】
特開２００２−１５３５０３号公報（特許文献１）には、裏面シートが光透過性プラスチックフィルムからなり、その裏面シートの外側から識別可能なインジケータ手段を有する使い捨ておむつが開示されている。
【０００３】
特開２００２−６５７号公報（特許文献２）には、パンツ型の使い捨ておむつであって、絵柄が外面に印刷されたフィルムと、そのフィルムの外面に積層された不織布とからなる裏面シートを有し、不織布の光線透過率が４０〜８３％であるものが開示されている。
【特許文献１】特開２００２−１５３５０３号公報
【特許文献２】特開２００２−６５７号公報
【発明の開示】
【発明が解決しようとする課題】
【０００４】
特許文献１に記載のおむつにおいて、裏面シート外側からのインジケータ手段の識別を容易にするには、光線透過率が高く、しかも裏面シートの内側にある体液吸収性芯材が透視されるのを防ぐことができる程度の光拡散性を有するプラスチックフィルムを裏面シートとして使用することが好ましい。しかし、そのような性質を有するプラスチックフィルムは、厚さが薄いものになりがちで、したがってまた破れ易いものにもなりがちである。
【０００５】
特許文献２に記載のおむつにおいて、裏面シートの外側から絵柄がよく見えるようにするには、不織布の坪量を小さくして不織布の光透過率を高めることが好ましい。しかし、そのような不織布もまた、厚さが薄くて破れ易いものになりがちである。
【０００６】
特許文献１や特許文献２におけるようなおむつの裏面シートにプラスチックエラストマーからなる弾性的に伸長可能な不織布やプラスチックフィルムを使用したり、捲縮繊維からなる弾性的に伸長可能な不織布を使用したりすることは公知である。ただし、プラスチックエラストマーからなる不織布やプラスチックフィルムは一般的に光線透過率が低くなりがちであるから、この場合に裏面シート外側からインジケータ手段や絵柄等の表示要素の識別を容易にするには、裏面シートの厚さを極力薄くしたうえで、その裏面シートの内面に表示要素を印刷したフィルムを接着や溶着によって接合し、密着させることが好ましい。しかし、このような裏面シートは、それが胴周り方向へ伸長するときに、フィルムを接合した部位に伸長時の応力が集中して、その部位から破れ易い。また、捲縮繊維からなる不織布を使用した裏面シートは嵩高なものになるから、この裏面シートの外面側から表示要素の識別を容易にするには、裏面シートの厚さを極力薄くすることが好ましい。しかし、このような裏面シートもまた裏面シートとフィルムとの接合部位から破れ易い。
【０００７】
そこで、この発明では、使い捨てのパンツ型着用物品を形成している弾性的に伸長可能な弾性シートの内面にインジケータ手段等の表示要素が形成されたシート片を接合した場合に、その弾性シートの外面側からの表示要素の識別が容易であって、しかもその弾性シートが伸長、収縮を繰り返しても容易に破れることがないように、前記着用物品に改良を施すことを課題にしている。
【課題を解決するための手段及び発明の効果】
【０００８】
前記課題を解決するために、この発明が対象とするのは、前胴周り域と後胴周り域と股下域とを有し、前記前後胴周り域の側縁部どうしが重なりあって互いに接合して前記前胴周り域と後胴周り域と股下域とでパンツ型の形状を形成しており、前記前後胴周り域が胴周り方向へ弾性的に伸長可能な第１シートを含み、前記前後胴周り域いずれかにおける前記第１シートの内面側に前記第１シートの外面側から識別可能な表示要素が設けられている使い捨てのパンツ型着用物品である。
【０００９】
かかる使い捨てのパンツ型着用物品において、この発明が特徴とするところは、次のとおりである。前記表示要素が前記第１シートの内面に第１接合手段を介して接合するシート片に形成されており、前記シート片が前記第１シートと前記第１シートに対して前記シート片よりも前記着用物品の内側にあって前記胴周り方向へ弾性的に伸長可能な第２シートとに挟まれている。前記第１シートと前記第２シートとは、前記胴周り方向における前記シート片の縁部から前記前後胴周り域の側縁部どうしが互いに接合している部位までの間において第２接合手段を介して接合している。前記第２接合手段は、前記胴周り方向と、この方向に直交する前記着用物品の上下方向とにおいて前記第１シートと前記第２シートとを間欠的に接合する複数の接合域を形成している。この態様の着用物品によれば、第１シートと第２シートとは、胴周り方向へ伸長するときの伸長応力がシート片の縁部の外側に形成された複数の接合域に分散し得るので、厚さの薄い第１シートであっても、伸長、収縮の繰り返しによって簡単に破れるということがない。
【００１０】
この発明の実施態様の一つでは、複数の前記接合域が前記内面の単位面積において占める面積の割合が前記シート片の縁部から前記胴周り方向へ遠ざかるにつれて小さくなる。この態様の着用物品では、接合域の存在によって高くなる第１シートの剛性が胴周り方向において徐々に小さくなるように変化しているので、第１シートがしなやかなものになり易い。
【００１１】
この発明の実施態様の他の一つでは、前記おむつの胴周り方向において、前記シート片の縁部から１０〜５０ｍｍの範囲にのみ前記接合域が形成されている。第１シートが伸長、収縮を繰り返すときに生じる第１シートの破れを防止するには、この程度の範囲内で接合域の面積割合が次第に小さくなればよい。
【００１２】
実施態様の他の一つにおいて、前記第１シートと第２シートとが不織布であって、前記第１シートの坪量が前記第２シートの坪量よりも小さく、かつ、前記第１シートの光線透過率が少なくとも５５％である。第１シートは、表示要素の識別が容易となるように、その坪量を第２シートの坪量よりも小さくするとともに、その厚さを薄くして、光線透過率が少なくとも５５％となるようにすることが好ましい。
【００１３】
実施態様の他の一つにおいて、第１シートと第２シートとのうちの少なくとも一方がエラストマーからなる繊維を含む。第１シートと第２シートとが不織布であれば、これら両シートが互いに重なり合う部分では、両シートの繊維どうしが絡み合って一体となり易く、そのように一体となって伸長する第１シートは、厚さが薄くても破れにくく、また仮に破れても目立つことがない。両シートの少なくとも一方がエラストマーからなる繊維を含むと、この繊維は一般的に摩擦係数が高いので、一体となった両シートの伸長、収縮を繰り返しても繊維どうしが互いに分離しにくくて、両シートは一層破れにくくなる。
【００１４】
実施態様の他の一つにおいて、前記前胴周り域と前記後胴周り域と前記股下域とのうちの少なくとも前記股下域における前記第２シートの内面側には、体液吸収性の芯材の少なくとも一部分を透液性シートで被覆してなる体液吸収部が形成される。前記着用物品の幅方向における前記体液吸収部の中央部位は、前記第２シートに対して接合状態にあり、前記着用物品の幅方向における前記体液吸収部の側縁部は、前記第２シートに対して非接合状態にある。かかる態様の着用物品では、第２シートの弾性的な伸長性が体液吸収部の存在によって抑えられるということがない。
【発明を実施するための最良の形態】
【００１５】
この発明に係る使い捨てのパンツ型着用物品としてパンツ型のおむつを例にとり、添付の図面を参照してこの発明の詳細を説明すると、以下のとおりである。
【００１６】
図１は、使い捨てのパンツ型おむつ１の部分破断斜視図である。おむつ１は、パンツ型の身体被覆部２と被覆部２の内面側に取り付けられた体液吸収部３とを有する。被覆部２は、前胴周り域６と、後胴周り域７と、股下域８とを有し、前後胴周り域６，７の側縁部１１，１２が合掌状に重なり合い、図の上下方向へ並ぶ複数の部位１４において互いに接合している。被覆部２はまた、胴周り開口１６と、一対の脚周り開口１７とを有する。前後胴周り域６，７と股下域８とは、第１のシートであるおむつ着用者の着衣（図示せず）と向かい合う外面シート２１と、第２のシートであるおむつ着用者の肌（図示せず）と向かい合う内面シート２２とで形成されている。胴周り開口１６と脚周り開口１７との周縁部には、複数条の胴周り弾性部材２３と複数条の脚周り弾性部材２４とが外面シート２１と内面シート２２との間にあって、これら弾性部材２３，２４が外面シート２１および／または内面シート２２に伸長状態で接合している。前後胴周り域６，７には、おむつ１の外面側から外面シート２１を透してうさぎの図柄２６が識別できる（図２を併せて参照）。図柄２６は、おむつ１の装飾、前胴周り域６，７の区別、排泄物で汚れたおむつ１の内部の隠蔽等の目的を持つことのできる表示要素である。
【００１７】
かようなおむつ１の被覆部２は、外面シート２１と内面シート２２とがおむつ１の幅方向Ａと幅方向Ａに直交する上下方向Ｂとのうちの少なくとも幅方向Ａに弾性的な伸長性を有するシート素材、例えばエラストマーを原料とした弾性糸からなる不織布、捲縮繊維からなる不織布、エラストマーからなるフィルム等によって形成されている。
【００１８】
図２、３は、図１のおむつ１の前後胴周り域６，７を部位１４において剥離し、双頭矢印Ｙによって示される前後方向へ伸展したときの部分破断平面図と、その平面図によって示されているおむつ１の分解組立図である。外面シート２１と内面シート２２とのそれぞれは、砂時計型を呈し、外面２１ａ，２２ａと内面２１ｂ，２２ｂとを有し、前胴周り域６と後胴周り域７とにおけるこれら両シート２１，２２の間には、外面シート２１の内面２１ｂと向かい合う面にうさぎの図柄２６を有する第１シート片３１と第２シート片３２とが介在している。これら第１、第２シート片３１，３２は、外面３１ａ，３２ａと内面３１ｂ，３２ｂとを有し、それらの大きさと位置とが胴周り弾性部材２３と脚周り弾性部材２４とに重なり合うことがないように調整されている。図２において前胴周り域６における図柄２６は、外面シート２１を透して識別できる部位が細い線で示され、外面シート２１を破断して現われた第１シート片３１における図柄２６は直視できるもので、太い線で示されている。また、図３において鎖線で示された図柄２６は、それが第１、第２シート片３１，３２の内面３１ｂ，３２ｂの側から透視されていることを示している。第１シート片３１と第２シート片３２とは、それらが引張られたときに伸長して図柄２６が歪むことがないように、非伸長性のシートで形成されている。体液吸収部３は、内面シート２２の内面２２ｂに対して取り付けられるもので、矩形を呈し、股下域８から前胴周り域６と後胴周り域７とに向かって延びている。かような体液吸収部３は、前胴周り域６に位置して方向Ａへ延びる前端縁部３６と後胴周り域７に位置して方向Ａへ延びる後端縁部３７と、方向Ｂへ延びる両側縁部３８とを有する。
【００１９】
図４は、図２のＩＶ−ＩＶ切断面を示す図である。ただし、図４では第１、第２、第３、第４接着剤４１，４２，４３，４４の存在を明らかにするために、外面シート２１、内面シート２２、第２シート片３２および体液吸収部３の図の上下方向における間隔が誇張して示されている。第２シート片３２は、被覆部２の外側から第２シート片３２の図柄がよく見えるように、第１接着剤４１を介して外面シート２１の内面２１ｂに密着するように接合している。第２シート片３２はまた、第３接着剤４３を介して内面シート２２の外面２２ａに接合している。外面シート２１と内面シート２２とは、胴周り方向において、第２シート片３２の両側縁部４６のそれぞれから前後胴周り域６，７が接合している部位１４(図１参照)までの間、より好ましくは両側縁部４６のそれぞれから胴周り方向へ１０〜５０ｍｍの範囲に半固定領域ｍを有し、この半固定領域ｍにおいてのみ第２接着剤４２を介して互いに接合している。被覆部２における後胴周り域７の側縁部１２に位置する外面シート２１と内面シート２２とは、図１に示されているように、前胴周り域６の側縁部１１に位置する外面シート２１と内面シート２２とともに、部位１４において接合している。かかる部位１４における接合には、超音波溶着、加熱下におけるエンボス処理、ホットメルト接着剤を使用する接着等の手段が使用される。内面シート２２と体液吸収部３とは、第４接着剤４４を介して接合している。体液吸収部３の端面には、体液吸収性の芯材４７と、芯材４７の底部を覆う液不透過性の底部シート４８と、芯材４７と底部シート４８とを包む液透過性の包被シート４９とが現われている。
【００２０】
図４のおむつ１において、第１接着剤４１は、第２シート片３２の図柄２６の透視が容易となるように、第２シート片３２の広い範囲にわたって、おむつ１の幅方向Ａと上下方向Ｂとに間欠的または連続的に塗布される。ただし、第２シート片３２は、図柄２６の存在する部位とその近傍のみを外面シート２１に接合して、残余の部位を外面シート２１に接合することがなければ、第１接着剤４１によって外面シート２１の肌触りが広い範囲にわたって固くなるということを防ぐことができる。このように外面シート２１と第２シート片３２とが接合している部位は、第２シート片３２が非伸長性のものであるから、被覆部２が幅方向Ａや上下方向Ｂへ引張られても、殆ど伸長することがない。第３接着剤４３は、前後胴周り域６，７それぞれにおいて、内面シート２２を第１シート片３１と第２シート片３２とに接合し、股下域６において、内面シート２２を外面シート２１に接合することによって、体液吸収部３が取り付けられる部位における内面シート２２の強度向上を図ることができる。ただし、そのような強度向上が不要であれば、第３接着剤４３を省くことができる。第２接着剤４２は、半固定領域ｍにおいて幅方向Ａと上下方向Ｂとにおいて間欠的に塗布される。好ましいおむつ１において、かかる半固定領域ｍの第２接着剤４２はまた、半固定領域ｍの単位面積において占める塗布面積の割合が第１シート片３１の側縁部４６から幅方向Ａに向かって次第に小さくなるように塗布され（図５、６参照）、それに伴って、半固定領域ｍの単位面積において、第２接着剤４２を介して互いに接合している外面シート２１と内面シート２２との接合域５１が占める接合面積の割合もまた、側縁部４６から幅方向Ａに向かって次第に小さくなる。このおむつ１では、半固定領域ｍから側縁部１１，１２の部位１４に至る範囲において、外面シート２１と内面シート２２とは互いに接合することがなく、厚さの薄い外面シート２１の肌触りが接着剤の存在によって硬くなるということがない。外面シート２１と内面シート２２とが不織布であれば、この範囲において重なり合うこれら両シート２１，２２は、互いの繊維が絡み合い、あたかも１枚の不織布であるかの如くになって、弾性的に伸長する。外面シート２１は、このように内面シート２２と一体化することによって破れにくくなり、また仮に破れても、それが内面シート２２と一体化している部位であれば目立ちにくくなる。特に、その繊維がエラストマーを含むものであれば、繊維の摩擦係数は一般的に高くなるので、絡み合った繊維どうしは離れにくく、両シート２１，２２は互いに剥がれにくくなる。第４接着剤４４は、幅方向Ａと上下方向Ｂとにおいて間欠的または連続的に塗布される。好ましいおむつ１においては、幅方向Ａにおける体液吸収部３の中央部のみが第４接着剤を介して内面シート２２に接合し、体液吸収部３の側縁部５２は、内面シート２２に対して非接合状態にある。内面シートに２２に対する中央部の幅は、体液吸収部３の幅Ｗの３０〜７０％の範囲にあることが好ましい。図１のおむつ１において、前胴周り域６は、図４の後胴周り域７と同様に形成されている。
【００２１】
図１〜４のように形成されているおむつ１の被覆部２の外面を形成している外面シート２１には、被覆部２の外側からのうさぎの図柄２６の識別を容易にすべく、ＪＩＳ  Ｋ  ７１０５に規定の「光線透過率及び全光線反射率」における「測定法Ａ」によって測定したときに少なくとも５５％、より好ましくは７０％以上の光線透過率を有するシートが使用される。一方、第１、第２シート片３１，３２よりも被覆部２の内側に位置する内面シート２２には、被覆部２が所要の引張り強度を有することができるとともに、おむつ着用者の肌を隠蔽することができるような厚さを有するシートが使用される。かようなおむつ１では、それが着用されて被覆域２が幅方向Ａに伸びるときに、外面シート２１における伸長応力が半固定領域ｍに形成された複数の接合域５１に分散し、半固定領域ｍにおける外面シート２１と内面シート２２とは、接合域５１では固定されていて伸長することがなくても、幅方向Ａにおいて互いに離間している接合域５１と５１との間では幅方向Ａに伸長する。かような意味で、半固定領域ｍに位置する外面シート２１と内面シート２２とは、半固定状態にあるということができる。また、半固定領域ｍにおいて、接合域５１の占める面積の割合が第１シート片３１や第２シート片３２の側縁部４６から幅方向Ａへ遠ざかるにつれて小さくなると、その面積の割合の変化に応じるように、外面シート２１と内面シート２２とは、第１シート片３１や第２シート片３２から離れて側縁部１１や１２に近づくにつれて徐々に伸長し易くなる。このような外面シート２１では、伸長応力が外面シート２１の狭い部位に集中して、その部位から外面シート２１が簡単に破れ始めるということがない。
【００２２】
被覆部２における外面シート２１として使用される不織布の例には、エラストマーからなる繊度が０．１〜８ｄｔｘの繊維や繊度が０．５〜８ｄｔｘの捲縮した複合繊維からなるものであって、１０〜１００ｇ／ｍ２、より好ましくは２５〜７５ｇ／ｍ２の坪量と少なくとも５５％の光線透過率とを有するものがある。また、外面シート２１として使用されるプラスチックフィルムの例には、エラストマーからなるものであって、０．０１〜０．１ｍｍの厚さと少なくとも５５％の光線透過率とを有するものがある。外面シート２１として使用されるシートにはまた、弾性的に伸長可能な不織布と弾性的に伸長可能なプラスチックフィルムとを積層した複合シート、非弾性的に伸長可能な不織布またはプラスチックフィルムと弾性的に伸長可能な不織布またはプラスチックフィルムとを積層した複合シートであって、少なくとも５５％、より好ましくは７０％以上の光線透過率を有するものを使用するものがある。
【００２３】
内面シート２２として使用される不織布の例には、エラストマーからなる繊度が０．１〜８ｄｔｘの繊維や繊度が０．５〜８ｄｔｘの捲縮した複合繊維からなり、１８〜１８０ｇ／ｍ２、より好ましく４０〜１００ｇ／ｍ２の坪量を有するものがある。その不織布は、吸汗性のものであることが好ましい。内面シート２２として使用されるプラスチックフィルムの例には、エラストマーからなるものであって、０．０５〜０．１５ｍｍの厚さを有するものがある。内面シート２２と外面シート２１との坪量の和は、２８〜２８０ｇ／ｍ２であることが好ましく、６５〜１７５ｇ／ｍ２であることがより好ましい。
【００２４】
第１シート片３１や第２シート片３２には、プラスチックフィルムや不織布、紙等のシート素材が使用される。第１シート片３１と第２シート片３２とが股下域８から前胴周り域６と後胴周り域７とに延びる一連の液不透過性のシート素材で形成されていれば、被覆部２の股下域８は防漏効果を有するものになる。
【００２５】
体液吸収部３の芯材４７には、粉砕パルプ、粉砕パルプと高吸水性ポリマー粒子との混合物等が使用される。底部シート４８には、液不透過性プラスチックフィルムが使用される。ただし、被覆部２の第１シート片３１と第２シート片３２とが一連の液不透過性シート素材からなる場合には、体液吸収部３において底部シート４８を省くこともできる。包被シート４９には液透過性の不織布や開孔プラスチックフィルムが使用される。
【００２６】
図示例の第１〜第４接着剤４１〜４４は、接着剤の使用部位に対応して与えられた呼称であって、接着剤の種類の違いを意味するものではないから、例えば第１接着剤４１と第２接着剤４２とに同じ接着剤を使用したり、第２接着剤４２と第３接着剤４３とに同じ接着剤を使用したりすることができる。これら第１〜第４接着剤４１〜４４には、当該技術分野において慣用のホットメルト接着剤の使用が可能である。またこの発明では、これら第１〜第４接着剤４１〜４４のいずれかによる部材どうしの接合を加熱や超音波による溶着に代えることができる。
【００２７】
図５、６、７は、図２において仮想線で囲まれた範囲Ｐの拡大図であって、半固定領域ｍにおいて幅方向Ａに間欠的に塗布されている第２接着剤４２の塗布状態を例示している。図５では、第２接着剤４２が複数のドットを形成するように塗布され、そのドットの集合が第１シート片３１の側縁部４６の近傍では密であり、側縁部４６から遠ざかるにつれて粗になる。図６では、第２接着剤４２が複数条の短いラインを形成するように塗布されている。これら図５、６の例では、半固定領域ｍの単位面積において複数のドットが占める面積の割合が側縁部４６から遠ざかるにつれて小さくなる。このような態様のおむつ１では、接合域５１の存在によって高くなりがちな被覆域２の剛性が胴周り方向において徐々に変化するので、被覆域２は、全体的にしなやかになる傾向を有する。図７では第２接着剤４２からなるドットがほぼ一様に分布している。図５、６、７において、外面シート２１と内面シート２２とは、第２接着剤４２の各ドットにおいて接合し、接合域５１を形成する。なお、この発明は、第１〜第４接着剤４１〜４４が形成するドットの形状を規定するものではないから、それらのドット形状は、例えばホットメルト接着剤をスパイラルスプレー塗布機で塗布して得られる不定形なものであってもよい。また、この発明において、表示要素として使用される図柄２６は、尿で濡れると顕在化して排尿のあったことを母親に知らせる、いわゆるインジケータであってもよい。
【図面の簡単な説明】
【００２８】
【図１】使い捨てのパンツ型おむつの部分破断斜視図。
【図２】伸展した状態にある図１のおむつの部分破断平面図。
【図３】図２のおむつの分解組立図。
【図４】図２のＩＶ−ＩＶ線切断面を示す図。
【図５】接着剤のレイアウトを例示する図２の部分拡大図。
【図６】図５と同様な図。
【図７】図５と同様な図。
【符号の説明】
【００２９】
１  使い捨てのパンツ型着用物品
６  前胴周り域
７  後胴周り域
８  股下域
２１  第１シート（外層シート）
２２  第２シート（内層シート）
３１  シート片
３２  シート片
４１  第１接合手段（第１接着剤）
４２  第２接合手段（第２接着剤）
【図１】
2005144074.tif 000003
【図２】
2005144074.tif 000004
【図３】
2005144074.tif 000005
【図４】
2005144074.tif 000006
【図５】
2005144074.tif 000007
【図６】
2005144074.tif 000008
【図７】
2005144074.tif 000009